(57)【要約】      （修正有）【課題】水切り器具内に残った異物を容易に洗い出すことを可能とする水切り器具を提供する。【解決手段】底部２０及び底部を囲む側部１０を有し、側部上端は開口の縁に接する水切り器具であって、底部は、排水手段２，３が設けられている第１の領域と、排水手段が設けられていない第２の領域２１とを有し、側部は、排水手段が設けられている第３の領域と、排水手段が設けられていない第４の領域２２とを有し、第２の領域の一端と第４の領域の一端は互いにつながっているとともに、第４の領域の他端は、開口の縁に接している。【選択図】図１
0003165627.tif 000002
【実用新案登録請求の範囲】
【請求項１】
底部及び前記底部を囲む側部を有し、側部上端は開口の縁である水切り器具であって、
前記底部は、排水手段が設けられている第1の領域と、排水手段が設けられていない第2の領域とを有し、
前記側部は、排水手段が設けられている第３の領域と、排水手段が設けられていない第４の領域とを有し、
前記第2の領域の一端と前記第4の領域の一端は互いにつながっているとともに、前記第4の領域の他端は、開口の縁に連接している
ことを特徴とする水切り器具。
【請求項２】
前記第2の領域の一端と前記第4の領域の一端は互いに角度をなしてつながっており、前記第2の領域の一端と前記第4の領域の接する部分周辺の領域は、水を一時的に保持する空間を形成する
ことを特徴とする、請求項１に記載の水切り器具。
【考案の詳細な説明】
【技術分野】
【０００１】
本考案は水切り器具に関し、より詳しくは排水口の水切りカゴ、台所で使用するざるなどの水切りに使用される器具である水切り器具に関する。
【背景技術】
【０００２】
一般に、水周りで使用される器具である水切り器具として、台所シンク内の排水口に設けられるごみ受けの役割を果たす水切りカゴや、調理用のざる、漉し器、茶漉し、三角コーナーなどが広く使用されている。このような水切り器具を使用すると、水とともに流れてくる屑ゴミや野菜くずなど（以下、「異物」という）が漉されて水のみが水切り器具外に流れ出す。図６は、従来の水切りカゴ６０内に、異物６１が漉されて残った様子を示している。
【先行技術文献】
【特許文献】
【０００３】
【特許文献１】実用新案登録第２５１５２８６号公報
【考案の概要】
【考案が解決しようとする課題】
【０００４】
一般に、水切り器具内に残った異物には、指でつまみだすことができる比較的大きなサイズのものもあれば、指でつまむことができないほど小さな砕片や欠片など細かなものも含まれている。水切り器具内に残った異物を廃棄するには、大きなものであればつまみだす、かきだすなどしてごみ箱に捨てることもできるが、小さな砕片や欠片などは濡れて水切り器具内壁面に張り付いており、容易に取り出せないことが少なくない。かといって、流水で流しだそうとしても、水が水切り器具内を通過してしまい、小さな砕片や欠片などを洗い出すことが難しかった。
【０００５】
本考案の目的は、水切り器具内に残った異物を容易に洗い出すことを可能とする水切り器具を提供することにある。
【課題を解決するための手段】
【０００６】
上記課題を解決するための手段として、本考案は以下の特徴を有する。  
【０００７】
本考案の一実施形態である水切り器具（１、４０）は、底部（２０、４１）及び前記底部を囲む側部（１０、４２）を有し、側部上端は開口の縁に接する水切り器具であって、前記底部は、排水手段（２，３、４３）が設けられている第1の領域と、排水手段が設けられていない第2の領域（２１、４４）とを有し、前記側部は、排水手段が設けられている第３の領域と、排水手段が設けられていない第４の領域（２２、４５）とを有し、前記第2の領域の一端と前記第4の領域の一端は互いにつながっているとともに、前記第4の領域の他端は、開口の縁に接していることを特徴としている。
【０００８】
上記水切り器具はさらに以下の特徴を有していてもよい。  
【０００９】
前記第2の領域の一端と前記第4の領域の一端は互いに角度をなしてつながっており、前記第2の領域の一端と前記第4の領域の接する部分周辺の領域は、水を一時的に保持する空間（２３、４７）を形成する。
【考案の効果】
【００１０】
本考案によれば、残留する異物を容易に洗い出すことを可能とする水切り器具を提供することが可能となる。
【考案を実施するための最良の形態】
【００１１】
以下、図面を参照しながら本考案の実施の形態について説明する。  
【００１２】
[第1の実施の形態]
図１は、本考案の第1の実施形態である水切りカゴを上方から見下ろした様子を示した図である。水切りカゴとは、台所シンクの排水口内にセット可能な水切り器具である。水切りカゴ１は、上部に開口が設けられ、下部は底面により閉じている、略円筒形状の容器であり、一般的には樹脂や銅、ステンレスなどを成形して作られるものである。円筒の上端は開口となっており、開口から野菜くずなどを含む水流が水切りカゴ１内部に流れ込むようになっている。水切りカゴ１の側壁１０には、一部を除き、複数のスリット２が形成されている（図１中では代表して一つのスリットにのみ参照符号を付した）。また、水切りカゴ１の底面２０には、一部を除き、複数の孔３が形成されている（図１中では代表して一つの孔にのみ参照符号を付した）。側壁１０は本考案の側部に相当し、底面２０は本考案の底部に相当し、スリット２、孔３は本考案の排水手段に相当する。
【００１３】
水切りカゴ１の開口から流れ込んだ水（野菜くずなどの異物を含んでいる）はスリット２、孔３から水切りカゴ１外部に流れ出る。スリット２や孔３を通過できない大きさ、形状の異物は、スリット２、孔３によって漉され、水切りカゴ１内部に残留する。
【００１４】
水切りカゴ１の底面２０の一部には孔３が形成されていない部分（底部水路形成部２１）が設けられている。側壁１０の一部にも同様にスリット２の形成されていない部分（側部水路形成部２２）が設けられている。底部水路形成部２１は本考案の第２の領域に相当し、底面２０のそれ以外の部分は、本考案の第１の領域に相当する。側部水路形成部２２は本考案の第４の領域に相当し、側壁１０のそれ以外の部分は、本考案の第３の領域に相当する。
【００１５】
底部水路形成部２１は、略扇型の領域であり、扇型の弧の部分は、側部水路形成部２２の下端部と接している。側部水路形成部２２は略長方形の領域で、前述の通りその下端部は底部水路形成部２１の弧の部分に接しており、その上端部は水切りカゴ１の開口の縁に接している。
【００１６】
底部水路形成部２１及び側部水路形成部２２は長手方向断面Ｌ字型となるように互いに接している。底部水路形成部２１及び側部水路形成部２２は、互いに接触する部分周辺において、水切りカゴ１内に入った水を一時的に保持する空間（貯水ポケット２３と呼ぶ）を形成する。側部水路形成部２２が下方向に位置するように水切りカゴ１を傾けた状態になると、水切りカゴ１内に入った水は貯水ポケット２３に貯められる。貯水ポケット２３に水とともに異物が貯められている状態を図２に示す。
【００１７】
図２に示した状態からさらに開口が下を向くように水切りカゴ１を傾けていくと、貯水ポケット２３内の水は側部水路形成部２２上を伝って、開口の縁に向かって流れおち、そのまま開口から水切りカゴ１外部へと排水される。このとき、水の中に異物が含まれていると、異物は水によって流され、水とともに水切りカゴ１外部へと排出される。
【００１８】
本実施の形態にかかる水切りカゴ１の使用者は、斜めに傾けた状態の水切りカゴ１の外側又は内側あるいはその双方から、蛇口などから水をかけ、水切りカゴ１の貯水ポケット２３に水とともに異物が集まるよう、水切りカゴ１を洗う。この水で水切りカゴ１内部を異物の様子を見ながらゆすぎ、異物を貯水ポケット２３内に集めるようにする。その後、貯水ポケット２３に溜まった水とともにこの水内の異物を側部水路形成部２２上を流れるようにして、水切りカゴ１の外側に排出することができる。
【００１９】
[第２の実施形態]
つぎに、本考案にかかる別の実施形態を説明する。本実施形態は調理用のざる（以下、単に「ざる」と呼ぶ）として提案される。図３は、ざるを上方から見下ろした図である。ざる４０は、略半球形をしており、底面４１および底面４１を取り囲む側壁４２には、一部を除いて、水切りのためのスリット４３が多数形成されている。スリット４３を通過できない大きさ、形状の異物は、スリット４３によって漉され、ざる４０内部に異物は残留する。側壁４２は本考案の側部に相当し、底面４１は本考案の底部に相当し、スリット４３は本考案の排水手段に相当する。
【００２０】
ざる４０の底面４１にはスリット４３が形成されていない部分（底部水路形成部４４）が設けられている。側壁４２にも同様にスリット４３の形成されていない部分（側部水路形成部４５）が設けられている。底部水路形成部４４は本考案の第２の領域に相当し、底面４４のそれ以外の部分は、本考案の第１の領域に相当する。側部水路形成部４５は本考案の第４の領域に相当し、側壁４２のそれ以外の部分は、本考案の第３の領域に相当する。
【００２１】
底部水路形成部４４は、略扇型の領域であり、扇型の弧の部分は、側部水路形成部４４の下端部と接している。側部水路形成部４５は略台形の領域で、前述との通りその下端部は底部水路形成部２１の弧の部分に接しており、その上端部はざる４０の縁４６に接している。
【００２２】
底部水路形成部４４及び側部水路形成部４５は断面弓型となるようにたがいに接しており、底部水路形成部４４及び側部水路形成部４５とがたがいに接合する部分周辺では、ざる４０内に入った水を一時的に保持する空間（貯水ポケット４７と呼ぶ）が形成される。貯水ポケット４７が下方向に位置するようにざる４０を傾けた状態とすると、ざる４０内に入った水は貯水ポケット４７に貯められる。図４に、貯水ポケット４７に異物５０を含む水を貯めた状態を示した断面図を掲げる。このとき、ざる４０の側部４２内側に張り付いていたり残っていたりする異物５０は、洗水６０によって流され貯水ポケット４７内に滞留する。
【００２３】
本実施の形態にかかるざる４０の使用者は、蛇口からの流水である洗水６０を、斜めに傾けた状態のざる４０の外側又は内側あるいはその双方からかけ、ざる４０の貯水ポケット４７に水とともに異物５０が集まるようにする。その後、貯水ポケット４７に溜まった水とともにこの水内の異物５０を側部水路形成部４５上を流れるようにして、ざる４０の外側に排出する。図４に示した状態からさらにざるが下向きになるように傾けていくと、貯水ポケット４７内の水は側部水路形成部４５を伝って縁４６に向かって流れおち、そのままざる４０外部へと排水される。このとき、水の中に含まれている異物５０は、水とともにざる４０外部へと排出される。水とともに異物５０がざる４０から排出される様子を示した断面図を図５に掲げる。
【００２４】
[その他]
本考案は、水だけでなく、他のいかなる液体(油、醤油など）を漉す器具にも適用可能である。
【図面の簡単な説明】
【００２５】
【図１】本考案の第1の実施形態である水切りカゴを上方から見下ろした様子を示した図
【図２】貯水ポケットに水とともに異物が貯められている状態を示した図
【図３】本考案の実施の形態であるざるを上方から見下ろした図
【図４】貯水ポケットに異物を含む水を貯めた状態の断面図
【図５】水とともに異物がざるから排出される様子を示した断面図
【図６】従来の水切りカゴを示す図
【符号の説明】
【００２６】
１…  水切りカゴ；  ４０…  ざる；  ２１、４４…  底部水路形成部；  ２２、４５…  側部水路形成部；  ２３、４７…  貯水ポケット
【図１】
0003165627.tif 000003
【図２】
0003165627.tif 000004
【図３】
0003165627.tif 000005
【図４】
0003165627.tif 000006
【図５】
0003165627.tif 000007
【図６】
0003165627.tif 000008